(57)【要約】【課題】  包装袋において、水分含量が異なる内容物を混合させることなく収容することができて、さらに収容された内容物を容易に合わせて取り出すことができるようにする。【解決手段】  包装袋１は高水分粘調体である内容物を収容した内装袋３と、内装袋３を収容して且つ内装袋３の外側に自己保持性を有する内容物を収容した外装袋２とから構成される。内装袋３の両端は外装袋２の両端にそれぞれ貼着されていて、包装袋１は両端に包装袋１を指で保持するための貼着部３２を含む保持部１１を備える。外装袋２は両端の保持部１１の間に、両端を結ぶ方向と交差する方向に外装袋２を切り裂いて開封するための切裂部２３を備える。内装袋３は切裂部２３と一方の保持部１１との間に、両端を結ぶ方向と交差する方向に延びた内装袋３の外周に沿って、開封用の脆弱部３３を備える。【選択図】          図１
2006321517.tif 000002
【特許請求の範囲】
【請求項１】
高水分粘調体である内容物を収容した内装袋と、該内装袋を収容して且つ該内装袋の外側に自己保持性を有する内容物を収容した外装袋とからなる包装袋であって、
前記内装袋の両端が前記外装袋の両端にそれぞれ貼着されていて、前記包装袋が両端に前記包装袋を指で保持するための前記貼着部を含む保持部を備え、
前記外装袋が該両端の保持部の間に、前記両端を結ぶ方向と交差する方向に該外装袋を切り裂いて開封するための切裂部を備え、
前記内装袋が該切裂部と一方の前記保持部との間に、前記両端を結ぶ方向と交差する方向に延びた該内装袋の外周に沿って、開封用の脆弱部を備えたものであることを特徴とする包装袋。
【請求項２】
前記一方の前記保持部が、前記切裂部により近い方の保持部であることを特徴とする請求項１に記載の包装袋。
【請求項３】
前記脆弱部が前記切裂部と一方の前記保持部との間において、該保持部側に近い位置に設けられたことを特徴とする請求項１または２に記載の包装袋。
【請求項４】
高水分粘調体である内容物を収容した内装袋と、該内装袋を収容して且つ該内装袋の外側に自己保持性を有する内容物を収容した外装袋とからなる包装袋であって、
前記内装袋の４方の辺縁が前記外装袋の辺縁にそれぞれ貼着されていて、前記包装袋が両端に対向する２つの貼着部を含み、前記包装袋を指で保持するための保持部を備え、
前記外装袋が該両端の保持部の間に、前記両端を結ぶ方向と交差する方向に該外装袋を切り裂いて開封するための切裂部を備え、
前記内装袋が該切裂部と連続するように設けられた開封用の脆弱部を備えたものであることを特徴とする包装袋。
【請求項５】
前記脆弱部が前記切裂部と一方の前記保持部との間において、中央が該保持部側に延びるような曲線状に形成されていることを特徴とする請求項４に記載の包装袋。
【請求項６】
前記脆弱部がミシン目加工されたものであることを特徴とする請求項１〜５のいずれか１項に記載の包装袋。
【請求項７】
前記脆弱部がハーフカット加工されたものであることを特徴とする請求項１〜５のいずれか１項に記載の包装袋。
【発明の詳細な説明】
【技術分野】
【０００１】
本発明は、包装袋に関するものであって、特に水分含量が異なる内容物をそれぞれ区分して収納する包装袋に関するものである。
【背景技術】
【０００２】
従来、水分含量が異なる内容物、例えば高水分粘調体である内容物と自己保持性を有する内容物を１つの容器または包装袋に収容する場合、水分の移行が起こり、自己保持性を有する内容物に高水分粘調体である内容物の水分が混合することによって、それぞれの内容物本来の風味が損なわれたり、保存性が低下したりする問題があった。そのため、水分含量が異なる内容物は別々の包装袋または容器に収容する必要があった。
【０００３】
かかる背景下、このような問題を解決するために、包装袋に２つの部位に区分する仕切り部を設けることによって、２つに区分された収納部を形成した包装袋が開示されている。
【特許文献１】実開平３−１１４７６６号公報
【特許文献２】特開２００４−２５００４１号公報
【発明の開示】
【発明が解決しようとする課題】
【０００４】
しかしながら、上記のような構成の包装袋は、２つに区分された収納部を有しているので、水分含量が異なる内容物を混合させることなく収容することはできるが、２つの収納部に収容された内容物を合わせて同時に取り出したいときには、内容物がそれぞれ異なる水分含量であるが故に、包装袋の開口からそれぞれ適量の内容物を取り出すことが困難であり、容易に合わせて取り出すことができない。
【０００５】
本発明の包装袋はかかる事情に鑑みてなされたものであり、水分含量が異なる内容物を混合させることなく収容することができて、さらに収容された内容物を容易に合わせて取り出すことができる包装袋を提供することを目的とするものである。
【課題を解決するための手段】
【０００６】
本発明の第１の包装袋は、高水分粘調体である内容物を収容した内装袋と、該内装袋を収容して且つ該内装袋の外側に自己保持性を有する内容物を収容した外装袋とからなる包装袋であって、
前記内装袋の両端が前記外装袋の両端にそれぞれ貼着されていて、前記包装袋が両端に前記包装袋を指で保持するための前記貼着部を含む保持部を備え、
前記外装袋が該両端の保持部の間に、前記両端を結ぶ方向と交差する方向に該外装袋を切り裂いて開封するための切裂部を備え、
前記内装袋が該切裂部と一方の前記保持部との間に、前記両端を結ぶ方向と交差する方向に延びた該内装袋の外周に沿って、開封用の脆弱部を備えたものであることを特徴とするものである。
【０００７】
本発明の第１の包装袋においては、前記一方の前記保持部が、前記切裂部により近い方の保持部であることが好ましい。
【０００８】
本発明の第１の包装袋においては、前記脆弱部が前記切裂部と一方の前記保持部との間において、該保持部側に近い位置に設けられることが好ましい。
【０００９】
本発明の第２の包装袋は、高水分粘調体である内容物を収容した内装袋と、該内装袋を収容して且つ該内装袋の外側に自己保持性を有する内容物を収容した外装袋とからなる包装袋であって、
前記内装袋の４方の辺縁が前記外装袋の辺縁にそれぞれ貼着されていて、前記包装袋が両端に対向する２つの貼着部を含み、前記包装袋を指で保持するための保持部を備え、
前記外装袋が該両端の保持部の間に、前記両端を結ぶ方向と交差する方向に該外装袋を切り裂いて開封するための切裂部を備え、
前記内装袋が該切裂部と連続するように設けられた開封用の脆弱部を備えたものであることを特徴とするものである。
【００１０】
本発明の第２の包装袋においては、前記脆弱部が前記切裂部と一方の前記保持部との間において、中央が該保持部側に延びるような曲線状に形成されていることが好ましい。
【００１１】
なお、本発明の包装袋においては、前記脆弱部がミシン目加工されたものとすることができる。
【００１２】
あるいは、本発明の包装袋においては、前記脆弱部がハーフカット加工されたものとすることができる。
【発明の効果】
【００１３】
上記のような構成の本発明の包装袋によれば、包装袋が高水分粘調体である内容物を収容した内装袋と、内装袋を収容して且つ内装袋の外側に自己保持性を有する内容物を収容した外装袋とからなるものであるため、それぞれの袋体に収容された水分含量の異なる内容物が混合されることがないことので、収容されたそれぞれの内容物の水分の移行を防ぐことができる。それにより、それぞれの内容物本来の風味を維持することができ、内容物の長期に亘る保存が可能になる。
【００１４】
また、包装袋が両端に包装袋を指で保持するための保持部を備え、外装袋が開封用の切裂部、内装袋が開封用の脆弱部をそれぞれ備えているので、外装袋の切裂部を開封後に、包装袋の両端の保持部をそれぞれ指で保持して両端開放側に向かって引っ張ることにより、内装袋の脆弱部が引張力によって開封されて、それぞれの内容物を同時に取り出すことができる。
【００１５】
また、内装袋の外側に自己保持性を有する内容物を収容していることによって、内装袋に収容された高水分粘調体である内容物を挟み込んで取り出すことができるので、収容された内容物を容易に合わせて取り出すことができる。
【発明を実施するための最良の形態】
【００１６】
次に図面を参照し、本発明にかかる実施形態１の包装袋について説明する。図１（ａ）は実施形態１の包装袋の平面図、図１（ｂ）は図１（ａ）におけるＢ−Ｂ線断面図、図２は図１の包装袋を分解して示す平面図であり、（ａ）は外装袋、（ｂ）は内装袋をそれぞれ示す平面図である。
【００１７】
包装袋１は、図１（ａ）、（ｂ）に示す如く、高水分粘調体である内容物５を収容した内装袋３と、内装袋３を収容して且つ内装袋３の外側に自己保持性を有する内容物４を収容した外装袋２とから概略構成されている。
【００１８】
内装袋３は、図２（ｂ）に示す如く、略長方形のフィルム包材を長手方向に沿って山折に折り曲げて、対向する面を重ね合わせることによって形成されていて、重なり合った面の折曲部３０と対向する辺縁と、長手方向両端の辺縁をそれぞれヒートシールしてヒートシール部３１ａ、３１ｂ、３１ｃを形成することにより密封されている。
【００１９】
また、内装袋３の内部には、図１（ｂ）に示す如く、高水分粘調体である内容物５が収容されていて、さらに内装袋３はヒートシール部３１ｂから所定の位置Ｌだけ内方に離れた位置に、長手方向と略垂直方向に延びた内装袋３の外周に沿って、図２（ｂ）に示す如く、開封用のミシン目加工部３３が設けられている。この所定の位置Ｌについては後で詳細に説明する。
【００２０】
ここで本実施形態における内装袋３を構成するフィルム包材は少なくとも１つ以上の層からなるプラスチックフィルム包材である。例えばポリプロピレンフィルム（ＰＰ）、一方の面からシール層／接着層／バリア層／接着層／シール層の層を構成するフィルム、一方の面からシール層／接着層／易裂性フィルム／接着層／シール層の層を構成するフィルム等が使用される。
【００２１】
外装袋２は、図１（ａ）、（ｂ）に示す如く、略長方形のフィルム包材を長手方向に沿って山折に折り曲げて、対向する面を重ね合わせることによって形成されていて、前記対向する面の間に上述した内装袋３を外装袋２の長手方向と略垂直方向の略中央に位置するように収容し、外装袋２の重なり合った面の折曲部２０と対向する辺縁をヒートシールしてヒートシール部２１ａを形成し、さらに外装袋２の長手方向両端の辺縁を、収容した内装袋３のヒートシール部３１ｂ、３１ｃの端部をそれぞれ挟むようにしてヒートシールして、図２（ａ）に示す如く、ヒートシール部２１ｂ、２１ｃを形成することにより密封されている。このとき外装袋２のヒートシール部２１ｂ、２１ｃと内装袋３のヒートシール部３１ｂ、３１ｃのそれぞれ重なり合った部分が共にヒートシールされて内装袋２の一対の貼着部３２ｂ，３２ｃが形成される。
【００２２】
また、外装袋２の内部には、図１（ｂ）に示す如く、長手方向と略垂直方向に延びた内装袋３の外周に沿って内装袋３の外側に自己保持性を有する内容物４が収容されている。さらに外装袋２は長手方向の略中央に、長手方向と略直角方向に延びた外装袋２の外周に沿って、ポリエステルフィルム（Ｐ）で形成された開封用の切裂テープ２３が設けられている。
【００２３】
ここで本実施形態における外装袋２を構成するフィルム包材は複数の層からなるプラスチックフィルム包材である。例えば一方の面からアルミナ蒸着ポリエチレンテレンテレフタレートフィルム（ＰＥＴ）／印刷層／接着層／ポリプロピレンフィルム（ＰＰ）の層を構成するフィルム、一方の面から横引裂性フィルム／印刷層／接着層兼バリア層／シール層の層を構成するフィルム、一方の面から基材層／印刷層／接着層／横引裂性フィルム／接着層／シール層の層を構成するフィルム等が使用される。この場合外装袋２は、該一方の面が外装袋２の内側に位置するように形成される。
【００２４】
なお、ヒートシールすることを考慮すると、内装袋３の外側に位置する層と外装袋２の内側に位置する層とは同一のものであることが望ましい。                            また、包装袋１の長手方向両端には、包装袋１を指で保持するための保持部１１ｂ、１１ｃがそれぞれ設けられ、保持部１１ｂ、１１ｃはそれぞれ一対の貼着部３２ｂ，３２ｃを含んで設けられている。なお、包装袋１を指で保持した際に、保持部１１ｂは自己保持性を有する内容物４が共に保持できる位置に設けられたものとし、保持部１１ｃは自己保持性を有する内容物４が保持できない位置に設けられたものとする。
【００２５】
ここで、上述した内装袋３における所定の位置Ｌは切裂部２３と上記のように設けられた保持部１１ｂとの間に位置するものであって、特に、高水分粘調体である内容物５が内装袋３の内部に残らないようにするために、保持部１１ｂにより近い位置に設けられている。
【００２６】
以上のようにして、実施形態１における包装袋１は構成されている。
【００２７】
なお、本実施形態１において内装袋３及び外装袋２は３方ヒートシール形式のものとしたが、本発明においてはこれに限られるものではなく、密封されたものであれば、例えば４方ヒートシール形式のものであっても、背ヒートシール形式のものであってもよく、またサイドにヒートシール部のないチューブ状のものであってもよい。
【００２８】
また、本実施形態１において開封用の切裂テープ２３は外装袋２の長手方向略中央に設けたが、本発明においてはこれに限られるものではなく、包装袋１の両端保持部の間に位置するものであればよい。この場合、自己保持性を有する内容物４と高水分粘調体である内容物５とを容易に合わせて取り出すためには、開封用のミシン目加工部３３が切裂テープ２３と該切裂テープ２３により近い側の保持部との間に設けられることが好ましい。
【００２９】
また本発明における高水分粘調体である内容物とは液体または流動状のもの等が挙げられ、具体的にはジャムやサンドイッチの具となるツナ等が挙げられる。また、自己保持性を有する内容物とは固体のもの等が挙げられ、具体的にはクラッカーやパン等が挙げられる。
【００３０】
次に実施形態１における包装袋１の作用について実施例を挙げて具体的に説明する。
【００３１】
図３（ａ）〜（ｄ）に包装袋１においてツナサンドイッチを取り出す過程の平面図を示す。以下、包装袋１の長手方向において、保持部１１ｃ側を左側、保持部１１ｂ側を右側として説明する。
【００３２】
図３（ｂ）に示す如く、包装袋１は内装袋３にツナ５を充填し、内装袋３の外側に２枚のパン４を、内装袋３を挟んで対向させて収容した。なお、本実施例では２枚のパンを用いたが、本発明はこれに限られるものではなく、内装袋３を挟んで収容できる形状であれば、例えば１枚のパンを、内装袋３を挟むようにして２つに折り曲げてもよい。
【００３３】
図３（ａ）に示す如く、外装袋２の開封用テープ２３を外周に沿って（図中Ｒ回転方向）切り裂き、外装袋２を開封する。すると外装袋２は左右に分断される。
【００３４】
次に図３（ｂ）に示す如く、包装袋１の保持部１１ｂ、１１ｃを右左の手の指６ｂ、６ｃで掴んで、左右方向（図中Ｘ方向）に引っ張る。このとき右手の指６ｂは包装袋１と共にパン４も掴むようにし、左手の指６ｃはパン４を掴まずに、包装袋１のみを掴むようにする。すると図３（ｃ）に示す如く、内装袋３のミシン目加工部３３がミシン目に沿って破れることにより、内装袋３は開封されて、左右に分断し、左右の開口からはツナが吐出される。このとき、左側内装袋３の内部にツナ５が残らないようにするために、左側内装袋３の開口に向かって（図中Ｙ方向）指６ｃでツナ５を押し出すようにする。そして左側内装袋３の内部からツナ５を押し出した後、左側内装袋３の開口が、対向するパン４の間から完全に抜出するまで、左側包装袋３を左方向に向かって引っ張る。その後、図３（ｄ）に示す如く、左手の指６ｃでパン４を掴み、右手の指６ｂはパン４を掴まずに、包装袋１のみを掴むように掴み換えて、左右方向に引っ張ることにより、パン４を包装袋１内から完全に取り出す。
【００３５】
以上のようにすれば、包装袋１が未開封のときはツナ５とパン４が接触しないので、水分の移行が起こらない。従ってツナ５とパン４がそれぞれ本来の風味を維持することができ、長期に亘る保存が可能になる。またツナサンドイッチを食べるときには、パン４の間にツナ５を挟んだ状態でパン４とツナ５を同時に取り出すことができるので、容易にツナサンドイッチを完成させることができる。
【００３６】
次に本発明に係る他の実施形態２の包装袋について説明する。なお、包装袋を構成する材料及び作用については、上述した実施形態１の包装袋と同様のものであるため説明を省略する。
【００３７】
図４（ａ）は実施形態２の包装袋の平面図、図４（ｂ）は図４（ａ）におけるＢ−Ｂ線断面図、図５は図４の包装袋を分解して示す平面図であり、（ａ）は外装袋、（ｂ）は内装袋をそれぞれ示す平面図である。
【００３８】
包装袋１は、図４（ａ）、（ｂ）に示す如く、高水分粘調体である内容物５を収容した内装袋３と、内装袋３を収容して且つ内装袋３の外側に自己保持性を有する内容物４を収容した外装袋２とから概略構成されている。
【００３９】
内装袋３は、図５（ｂ）に示す如く、略長方形のフィルム包材を長手方向に沿って山折に折り曲げて、対向する面を重ね合わせることによって形成されていて、重なり合った面の４方周縁をそれぞれヒートシールして長手方向両端に対向する一対のヒートシール部３１ｂ、３１ｃ、長手方向と略垂直方向両端に対向する一対のヒートシール部３１ａ、３１ｄを形成することにより密封されている。
【００４０】
また、内装袋３の内部には、図４（ｂ）に示す如く、高水分粘調体である内容物５が収容されていて、さらに内装袋３の対向する面には後述する開封用のミシン目加工部３３がそれぞれ設けられている。
【００４１】
外装袋２は、図４（ａ）、（ｂ）に示す如く、略長方形のフィルム包材を長手方向に沿って山折に折り曲げて、対向する面を重ね合わせることによって形成されていて、前記対向する面の間に上述した内装袋３を外装袋２の外面の略中央に位置するように収容し、外装袋２の重なり合った面の４方周縁を、収容した内装袋３の４方のヒートシール部３１ａ、３１ｂ、３１ｃ、３１ｄの端部をそれぞれ挟むようにしてヒートシールして、図５（ａ）に示す如く、長手方向両端に対向する一対のヒートシール部２１ｂ、２１ｃ、長手方向と略垂直方向両端に対向する一対のヒートシール部２１ａ、２１ｄを形成することにより密封されている。このとき外装袋２のヒートシール部２１ａ、２１ｂ、２１ｃ、２１ｄと内装袋３のヒートシール部３１ａ、３１ｂ、３１ｃ、３１ｄのそれぞれ重なり合った部分が共にヒートシールされて内装袋２の４方の貼着部３２ａ，３２ｂ，３２ｃ、３２ｄが形成される。
【００４２】
また、外装袋２の内部には、図４（ｂ）に示す如く、内装袋３の外側に、内装袋３を挟んで対向して、２種類の自己保持性を有する内容物４ａ、４ｂがそれぞれ収容されている。なお、本実施形態２における包装袋１は４方周縁をヒートシールしているので、内装袋３の外面と外装袋２の内面との間には、図４（ｂ）に示す如く、内装袋３を挟んで対向する独立した２つの収容部が形成されるために、自己保持性を有する内容物４は２種類のものが収容できる。本実施形態２の包装袋１においては２種類の自己保持性を有する内容物４ａ、４ｂを収容したが、本発明の包装袋はこれに限られるものではなく、同一の種類のものを収容してもよい。
【００４３】
さらに外装袋２は図５（ａ）に示す如く、ヒートシール部２１ｂの端部から所定の位置Ｌだけ内方に離れた位置に、長手方向と略直角方向に延びた外装袋２の外周に沿って、開封用の切裂テープ２３が設けられている。この所定の位置Ｌについては後で詳細に説明する。
【００４４】
また、包装袋１の長手方向両端には、包装袋１を指で保持するための保持部１１ｂ、１１ｃがそれぞれ設けられ、保持部１１ｂ、１１ｃはそれぞれ一対の貼着部３２ｂ，３２ｃを含んで設けられている。なお、包装袋１を指で保持した際に、保持部１１ｂは自己保持性を有する内容物４が共に保持できる位置に設けられたものとし、保持部１１ｃは自己保持性を有する内容物４が保持できない位置に設けられたものとする。
【００４５】
ここで上述した内装袋３の開封用のミシン目加工部３３と外装袋２における所定の位置Ｌについて説明する。
【００４６】
ミシン目加工部３３は、図４（ａ）に示す如く、上記のように設けられた保持部１１ｂと切裂テープ２３との間において、両端が切裂テープ２３に連続して設けられていて、該両端から中央に向かうにつれて保持部１１ｂ側に延びるような曲線状に形成されており、略中央は、保持部１１ｂにより近い位置において、内装袋３の長手方向両端部と略並行な直線状に形成されている。
【００４７】
なお、本実施形態２の内装袋３においては、内装袋３に収容された高水分粘調体である内容物５が内装袋３の内部に残らないようにするために、ミシン目加工部３３を前述のような形状としたが、本発明の包装袋における内装袋は、これに限られるものではなく、ミシン目加工部３３の両端が切裂テープと連続し、且つ保持部１１ｂと切裂テープの間に位置するものであれば、切裂テープと同様の形状であっても、中央に向かうにつれて保持部１１ｂ側に延びるような滑らかな曲線状であってもよいし、内装袋の対向する一対の面で、それぞれ別の形状としてもよい。
【００４８】
所定の位置Ｌは、前記両端の保持部１１ｂ、１１ｃの間に位置するものであり、高水分粘調体である内容物５が内装袋３の内部に残らないようにするために、保持部１１ｂにより近い位置に設けられている。
【００４９】
以上のようにして、実施形態２における包装袋１は構成されている。
【００５０】
なお、本実施形態２において内装袋３及び外装袋４は略長方形のフィルム包材を折り曲げて、重なり合った面の４方周縁をヒートシールしたものとしたが、本発明はこれに限られるものではなく、内装袋の４方の辺縁が外装袋の辺縁にそれぞれ貼着できるものであれば、例えば２枚の略長方形のフィルム包材を重ね合わせて、重なり合った面の４方周縁をヒートシールしたものであってもよい。
【００５１】
また、本実施形態１及び２においては、外装袋の開封用の切裂部を切裂テープとしたが、本発明はこれに限られるものではなく、外装袋が開封できるものであれば、例えば図６（ａ）に示す如く、長手方向と略並行なヒートシール部２１ａの端部にダブルノッチ２３ａを設けて、さらに長手方向と交差する方向に延びた外装袋の外周に沿って、ダブルノッチ２３ａと連続するようにハーフカット加工部２３ｂまたはミシン目加工部２３ｂを設けたものであってもよいし、外装袋が横引裂性フィルムからなるものである場合には、図６（ｂ）に示す如く、長手方向と略並行なヒートシール部２１ａの端部にダブルノッチ２３ａを設けたものであってもよい。
【００５２】
また、本実施形態１及び２においては、内装袋の開封用の脆弱部をミシン目加工としたが、本発明はこれに限られるものではなく、内装袋が開封する際に自然な案内として作用するものであれば、例えばハーフカット加工でもよく、内装袋が複数の層からなるフィルム包材の場合には、ハーフカット加工及びミシン目加工を組み合わせてもよい。
【００５３】
また、本実施形態１及び２における包装袋は、両端の保持部を結ぶ方向を長手方向とした略長方形であるが、本発明はこれに限られるものではなく、両端の保持部を結ぶ方向と略垂直方向を長手方向とした略長方形であっても、略正方形であってもよい。
【００５４】
以上のような本発明の包装袋によれば、それぞれの袋体に収容された水分含量の異なる内容物が混合されることがないことので、収容されたそれぞれの内容物の水分の移行を防ぐことができる。それにより、それぞれの内容物本来の風味を維持することができ、内容物の長期に亘る保存が可能になる。
【００５５】
また、外装袋の切裂部を開封後に、包装袋の両端の保持部をそれぞれ指で保持して両端開放側に向かって引っ張ることにより、内装袋の脆弱部が引張力によって開封されて、それぞれの内容物を同時に取り出すことができる。
【００５６】
また、内装袋に収容された高水分粘調体である内容物を挟み込んで取り出すことができるので、収容された内容物を容易に合わせて取り出すことができる。
【図面の簡単な説明】
【００５７】
【図１】本発明の実施形態１にかかる包装袋の平面図及び断面図である。
【図２】図１における包装袋を分解して示す平面図である。
【図３】図１における包装袋の作用の過程を示す平面図である。
【図４】本発明の実施形態２にかかる包装袋の平面図及び断面図である。
【図５】図４における包装袋を分解して示す平面図である。
【図６】本発明における開封用の切裂部の別の実施形態を示す平面図である。
【符号の説明】
【００５８】
１      包装袋
１１    保持部
２      外装袋
２３    開封用の切裂部
３      内装袋
３２    貼着部
３３    開封用の脆弱部
４      自己保持性を有する内容物
５      高水分粘調体である内容物
６      指
【図１】
2006321517.tif 000003
【図２】
2006321517.tif 000004
【図３】
2006321517.tif 000005
【図４】
2006321517.tif 000006
【図５】
2006321517.tif 000007
【図６】
2006321517.tif 000008